(57)【要約】【課題】  設置場所をとらず、操作が容易であって、簡単に移動させることができる簡易ごみ収納庫を提供する。【解決手段】  上部杆と下部杆とを側部杆により連結し、側部杆の下端部を下部杆から突出させてなる略ロ字状の外フレームと同形の内フレームとを形成し、前記外フレーム、内フレームのいずれか一方の側部杆に回動自在に軸支した環に他方のフレームの側部杆を挿通して上下動可能に組み立て、外フレームと内フレームの下部杆にはそれぞれ側部材の下端を回動自在に取り付け、前記側部材には外フレームと内フレームの上部杆から垂下したガイドバーを上下摺動可能に配設することによって外フレームと内フレームとを起倒可能とし、外フレームの下部杆と内フレームの下部杆にはヒンジによって折り畳み自在とした底板を取り付け、前記側部材の両側端縁には可撓性材を掛け渡してなることを特徴とする。【選択図】  図１
2006056616.tif 000002
【特許請求の範囲】
【請求項１】
上部杆と下部杆とを側部杆により連結し、側部杆の下端部を下部杆から突出させてなる略ロ字状の外フレームと同形の内フレームとを形成し、前記外フレーム、内フレームのいずれか一方の側部杆に回動自在に軸支した環に他方のフレームの側部杆を挿通して上下動可能に組み立て、外フレームと内フレームの下部杆にはそれぞれ側部材の下端を回動自在に取り付け、前記側部材には外フレームと内フレームの上部杆から垂下したガイドバーを上下摺動可能に配設することによって外フレームと内フレームとを起倒可能とし、外フレームの下部杆と内フレームの下部杆にはヒンジによって折り畳み自在とした底板を取り付け、前記側部材の両側端縁には可撓性材を掛け渡してなることを特徴とする簡易ごみ収納庫。
【請求項２】
展開状態において、底板は、外フレームの下部杆と内フレームの下部杆との取り付け側よりもヒンジ側が高くなっていることを特徴とする請求項１記載の簡易ごみ収納庫。
【請求項３】
外フレームと内フレームのいずれか一方の上部杆に、他方のフレームの上部杆に係止する係止部を有する止め金を設けたことを特徴とする請求項１又は２に記載の簡易ごみ収納庫。
【請求項４】
外フレームと内フレームのいずれか一方の側部杆の下端部にキャスターを取り付け、ヒンジを介して連結された底板のうちキャスターを取り付けた側を他方側よりも幅広に形成し、キャスターを取り付けていない方の側部杆を上下動可能とし、折り畳んだときキャスターを取り付けていない方の側部杆が引き上げられて下端部が接地しないようにしたことを特徴とする請求項１〜３のいずれか１項に記載の簡易ごみ収納庫。
【請求項５】
外フレームと内フレームのいずれか一方の上部杆に蓋を取り付けたことを特徴とする請求項１〜４のいずれか１項に記載の簡易ごみ収納庫。
【発明の詳細な説明】
【技術分野】
【０００１】
この発明は、各家庭から持ち出される生ごみ等の一般ごみを一時的に貯留しておく簡易ごみ収納庫、または家庭内で生ごみ、新聞、雑誌等の廃棄物を一時保管しておき、そのまま運搬可能な簡易ごみ収納庫に係り、詳しくは、使用しないときには折り畳んで保管しておき、使用するときに移動させて所定の場所に組み立てて使用することができるようにした折り畳み自在な簡易ごみ収納庫に関する。
【背景技術】
【０００２】
各家庭の生ごみ等の一般ごみは、所定の回収日に所定の場所に一時貯留されて、ゴミ回収業者によって回収されるが、生ごみ等には、残飯等のカラス、猫、犬等の餌となるものが含まれているために、単に貯留しておくだけでは食い散らかされてしまい、周囲に飛散するばかりでなくゴミ収集の際に迅速な作業ができなくなる。
【０００３】
このような被害は、ゴミ収集を行っている各自治体に共通な問題となっており、特に、大都市においては、看過し難いものとなっている。カラスの場合には、ゴミを飛散させるばかりでなく子供など比較的弱い者を襲うこともあり、危険でもある。そこで、例えば、特開２０００−２８９８０３号公報に記載されているように、直立姿勢になっているパレットを引いて水平姿勢にするだけで、折り畳まれていた面状部材によってゴミ収納空間を形成することができる折り畳みゴミ収納装置が提案されている。
【０００４】
上記公報記載の折り畳みゴミ収納装置は、フレーム枠に対して一辺側を不動端とし他辺側を揺動端として、直立姿勢と水平姿勢の間を揺動するパレットと、このパレットにつれて同じく直立姿勢と水平姿勢の間を揺動し、外側に可撓性の面状部材を取り付けた複数本の内骨材を設けてなり、内骨材を直立姿勢にしたときに、内骨材に取り付けた面状部材を内骨材内に収納し、パレットを水平姿勢に倒したときに、複数本の内骨材を介して前記面状部材を展開することによってゴミ収納空間を形成するようにしたものである。
【特許文献１】特開２０００−２８９８０３号公報
【発明の開示】
【発明が解決しようとする課題】
【０００５】
しかしながら、上記折り畳みゴミ収納装置には、次のような問題がある。すなわち、内骨材に対応する揺動軸は、衝立板の下端部の傾斜に沿って相互に階段状に近接配置されており、互いに独立して揺動するように構成されている。そして、最初の１本を水平姿勢とし最後の１本を直立姿勢として、残る内骨材を等角度に振り分けた状態で、可撓性の面状部材を前記各内骨材に周囲から囲むようにして取り付け、面状部材は適度に緊張するように設定されている。
【０００６】
このように、内骨材の振り分け角度は、一体に固定した面状部材の緊張によって保持されているから、パレット及び内骨材の直立姿勢と水平姿勢とを繰り返すことにより、面状部材と内骨材との取り付け部分に過度の負担がかかって外れたり、面状部材自体が破損するおそれがある。
【０００７】
また、パレットを水平姿勢にするには、片手で押さえながら、フック金具の係止、解除の操作をしなければならないと共に、引き出すと同時にパレット、内骨材及び面状部材が一気に倒れることになり、慎重に引き下ろさなければならない。また、衝立て板と軸受板は、一対の脚ベースに取り付けられているために、面状部材及び内骨材を折り畳み状態にした場合でも、脚ベースの先端部は突出することになり通行障害となる。
【０００８】
この発明は、かかる現況に鑑みてなされたもので、操作が簡単で、しかも耐久性に優れた簡易ごみ収納庫を提供するものである。また、この発明は、移動可能とし、不使用時には適宜の場所に保管することによって、通行障害とならない簡易ごみ収納庫を提供するものである。また、小型化をした場合には、家庭内での物入れとしたり、そのまま荷物の運搬車としても使用することができる簡易ごみ収納庫を提供するものである。
【課題を解決するための手段】
【０００９】
この発明は上記目的を達成するために次のような構成とした。この発明に係る簡易ごみ収納庫は、上部杆と下部杆とを側部杆により連結し、側部杆の下端部を下部杆から突出させてなる略ロ字状の外フレームと同形の内フレームとを形成し、前記外フレーム、内フレームのいずれか一方の側部杆に回動自在に軸支した環に他方のフレームの側部杆を挿通して上下動可能に組み立て、外フレームと内フレームの下部杆にはそれぞれ側部材の下端を回動自在に取り付け、前記側部材には外フレームと内フレームの上部杆から垂下したガイドバーを上下摺動可能に配設することによって外フレームと内フレームとを起倒可能とし、外フレームの下部杆と内フレームの下部杆にはヒンジによって折り畳み自在とした底板を取り付け、前記側部材の両側端縁には可撓性材を掛け渡してなることを特徴とする。
このように構成することによって、折り畳み、展開が可能となり、ごみを一時貯留する簡易ごみ収納庫とする場合には、不使用時には折り畳むことによって通行のさまたげとなることがない。
また、展開状態において、前記底板は、外フレームの下部杆と内フレームの下部杆との取り付け側よりもヒンジ側が高くなっていることが好ましい。このようにすることによって容易に折り畳むことができる。
また、外フレームと内フレームのいずれか一方の上部杆に、折り畳んだとき他方のフレームの上部杆に係止する係止部を有する止め金を設けておくことが好ましい。止め金を設けることによって他方の上部杆に係止させて折り畳み状態を保持することができる。
また、前記外フレームと内フレームのいずれか一方の側部杆の下端部にキャスターを取り付け、ヒンジを介して連結された底板のうちキャスターを取り付けた側を他方側よりも幅広に形成し、キャスターを取り付けていない方の側部杆を上下動可能とし、折り畳んだときキャスターを取り付けていない方の側部杆が引き上げられて下端部が接地しないようにすることができる。
このように構成した場合には、折り畳んだとき、斜めに傾斜させなくても垂直な状態で移動させることができるから、移動が容易であると共に、垂直に立てたまま狭い隙間にも入れることができる。
さらに、外フレームと内フレームのいずれか一方の上部杆に蓋を取り付けてもよい。蓋を取り付けた場合には、上面開口を閉じることができ、カラスや猫等の動物が入り込んでごみを散らかすのを防止することができる。
【発明の効果】
【００１０】
上記構成の簡易ごみ収納庫は、折り畳み、展開が容易であり、何処にでも簡単に設置することができる。また容易に移動することができるから、不使用時には他の場所に移動させておくことにより通行の妨げとなることがない。また、キャスターを取り付けた場合には、家庭内でごみを一時収納しておき、回収日にそのままごみ収集所まで運搬することができ、ごみ収納庫兼運搬車として使用することもできる。
【発明を実施するための最良の形態】
【００１１】
以下に、この発明を図示する実施形態に基づいて詳細に説明する。図１は、展開して使用状態を示す斜視図である。簡易ごみ収納庫は、Ｘ状に交差させ回動自在に組み立てるフレーム１０と、前記フレーム１０の内側に取り付けられフレーム１０を展開したとき収納庫の前後面をなす側部材２０と、前記フレーム１０の上端に取り付けられる蓋３０と、前記フレーム１０の下部に取り付けられ、略中央部で２つに折り曲げられフレーム１０を展開したとき収納庫の底面をなす底板４０と、前記側部材２０の側端縁に取り付けられフレーム１０を展開したとき収納庫の側面をなす可撓性材５０とによって構成されている。
【００１２】
さらに、各構成について詳しく説明する。前記フレーム１０は、略ロ字状体の外フレーム１０Ａと同じく略ロ字状体の内フレーム１０Ｂとからなる。前記外フレーム１０Ａは、上部杆１１Ａと下部杆１２Ａのそれぞれ両端部を側部杆１３Ａ，１３Ａによって連結し、前記側部材１３Ａ，１３Ａの下端部を下部杆１２Ａから突出させてなる略ロ字状フレームである。一方、内フレーム１０Ｂは、外フレーム１０Ａ同形状であって、上部杆１１Ｂと下部杆１２Ｂの両端部を側部杆１３Ｂ，１３Ｂによって連結し、前記側部材１３Ｂ，１３Ｂの下端部を下部杆１２Ｂから突出させてなる略ロ字状フレームである。
【００１３】
まず、外フレーム１０Ａについて説明すると、図１，図４および図５に示すように、上部杆１１Ａの上方に取っ手杆１４が上部杆１１Ａとほぼ平行に設けられている。前記取っ手杆１４は、側部杆１３Ａ，１３Ａを上方に延長させた延長部に連結されている。さらに、側部杆１３Ａ，１３Ａの下端部は、図１および図３に示すように、下部杆１２Ａより突出しており、先端部にはゴムキャップ１５が嵌着されている。前記ゴムキャップ１５、１５は、地面に接して滑り止めとなると共に、衝撃を吸収する緩衝材として機能する。
【００１４】
一方、内フレーム１０Ｂの側部杆１３Ｂの下端部は、下部杆１２Ｂよりも突出しており、先端部にはキャスター１６、１６が取り付けられている。内フレーム１０Ｂは、外フレーム１０Ａの内側に挿入されるように、側部杆１３Ｂと側部杆１３Ｂの間隔が側部杆１３Ａと側部杆１３Ａの間隔よりも狭く形成されている。前記キャスター１６は、ごみ収納庫として展開した状態では斜めに傾けることにより、また、折り畳んだ状態では垂直にした状態で移動させるときの移動車となる。
【００１５】
前記外フレーム１０Ａと内フレーム１０Ｂとは、内フレーム１０Ｂに取り付けられたクロス丸環１７に外フレーム１０Ａの側部杆１３Ａを挿通することによって互いに回動自在に組み立てられている。即ち、図２に示すように、クロス丸環１７は、内フレーム１０Ｂの側部杆１３Ｂに穿設した取付孔１０Ｂ１に、クロス丸環１７の取付軸１７Ａを挿通し、先端部にナット１７Ｂを螺合することによって取り付けられている。クロス丸環１７の環部１７Ｃと側部杆１３Ｂとの間には、ワッシャ１７Ｄが介在されている。従って、クロス丸環１７は取付軸１７Ａを中心に回動することが可能である。一方、外フレーム１０Ａの側部杆１３Ａは、クロス丸環１７の環部１７Ｃに摺動自在に挿通されているから、外フレーム１０Ａ自体が上下方向にスライドする。
【００１６】
上記説明から明らかなように、前記外フレーム１０Ａと内フレーム１０Ｂとは、クロス丸環１７が回動することによって、互いに垂直方向に近づいたり傾斜方向に離れたり起倒すると共に、外フレーム１０Ａは、上下方向にスライドする。従って、ごみ収納庫として組み立てたとき、ボックス状に展開したり折り畳んだりすることができ、特に、後述するように、取り畳んだときに外フレーム１０Ａの下端部のゴムキャップ１５をキャスター１６よりも上方に引き上げることができる。なお、上記構成において、取っ手杆１４は、省略することが可能である。
【００１７】
次に、前記外フレーム１０Ａと内フレーム１０Ｂに取り付けられる側部材２０について説明する。側部材２０は、外フレーム１０Ａに取り付けられる側部材２０Ａと、内フレーム１０Ｂに取り付けられる側部材２０Ｂとからなる。側部材２０Ａと側部材２０Ｂは、同一構成であるから側部材２０Ａについて説明し、側部材２０Ｂについては、同一符号を付してその説明を省略する。
【００１８】
側部材２０Ａは、図３に示すように、枠体２１の内側に多数の小孔を穿設した穴あきボード２２を取り付けることによって形成されており、下端部が下部杆１２Ａに回動自在に取り付けてなるホルダー２３に固定されている。従って、側部材２０Ａは、下部杆１２Ａを軸にして回動することができる。側部材２０Ａの両側端部には上面が開口したガイド筒２４が内設されている。前記ガイド筒２４には、内フレーム１０Ｂの上部杆１１Ｂに回動自在に吊り下げられたガイドバー２５が挿入されている。
【００１９】
前記ガイド筒２４とガイドバー２５とは、ほぼ同じ長さであって、内フレーム１０Ｂが上方向に引き上げられて折り畳まれたときに、ガイドバー２５はガイド筒２４から抜け出さない長さに形成されている。尚、側部材２０Ａは、上記構成に限定されるものではなく、通常の板体であってもあるいは網体であってもよく、生ごみ等の物品を収納可能なものであればよい。
【００２０】
上記のように、側部材２０Ａの下端部を下部杆１２Ａに回動自在に取り付け、上端部をガイド筒２４に内フレーム１０Ｂの上部杆１１Ｂに吊り下げたガイドバー２５を挿入し、上部杆１１Ｂと側部材２０Ａとはフリーな状態とすることによって上部杆１１Ｂの上方への引き上げが可能となる。  
【００２１】
また、図示する実施の形態では、側部材２０Ａの上面にガイド筒２４の開口よりも大きなさや管２７が配設されており、ガイドバー２５は、前記さや管２７に挿通され、その後ガイド筒２４に挿入される。前記さや管２７によって、側部材２０Ａと上部杆１１Ｂとの間に隙間が形成されることになり、ごみ収納庫を展開する作業中に手が挟まれるのを防止する。このように、さや管２７は手が挟まれて怪我するのを防止するものであるから、約２０ｍｍ程度の長さとすることが好ましい。尚、さや管２７は省略することが可能である。さや管２７を省略した場合には、側部材２０Ａの上面に上部杆１１Ｂと当接する突起を設けてもよい。
【００２２】
さらに、側部材２０Ａの両側端の外面には、図３に示すように、可撓性材５０を取り付ける補助バー２６が取り付けられている。前記補助バー２６は、両端部をパイプ２６ａに挿入し、前記パイプ２６ａを枠体２１に固着することによって取り付けられている。補助バー２６の中間部をクリップ２６ｂによって固定している。可撓性材５０として、例えばネットを使用する場合には、まず、ネットの端縁の網目に補助バー２６を通し、次いでクリップ２６ｂに通し、さらに残りの網目に通して両端部にパイプ２６ａを装着した後、パイプ２６ａを枠体２１に固着すればよい。                                                                                                                                                                                                                                                                                                                                            
【００２３】
側部材２０Ｂは、図４に示すように、下端部が下部杆１２Ｂに回動自在に取り付けてなるホルダー２３に固定されている。また、側部材２０Ｂの両側端部に内設されたガイド筒２４に外フレーム１０Ａの上部杆１１Ａに回動自在に吊り下げられたガイドバー２５が挿入されている。従って、側部材２０Ａと上部杆１１Ｂとの関係のように、側部材２０Ｂは、下端部を下部杆１２Ｂに回動自在に取り付けられており、上端部はガイド筒２４にガイドバー２５をスライド可能に挿入しているから、上部杆１１Ａの上方への引き上げが可能となる。
【００２４】
側部材２０Ｂの両側端の外面にも、側部材２０Ａと同様に、可撓性材５０を取り付ける補助バー２６が取り付けられている。従って、側部材２０Ａの側端と側部材２０Ｂの側端との間に可撓性材５０を掛け渡すことによって取り付けられることになり、ごみ収納庫として展開したときボックスの対向する側面を形成することになる。従って、取り付けられる可撓性材５０は、ごみ収納庫として展開できるように充分な幅を持って形成されている。
【００２５】
次に、図５および図６に基づいて、蓋３０の構成について説明する。蓋３０は、枠体３１と、前記枠体３１に取り付けられる取っ手３２と、枠体３１の両側端に間隔を設けて取り付けられるスライドレール３３と、前記スライドレール３３を上部杆１１Ａに取り付けるガイド環３４とからなる。前記枠体３１は、ごみ収納庫の展開状態のときごみの投入口となる開口部を塞ぐ大きさであって、展開状態における上部杆１１Ａと上部杆１１Ｂの間隔とほぼ同じ大きさに形成されており、可撓性材５０が取り付けられている。取っ手３２は、略コ字状に形成されており、枠体３１の前部中央に１８０度回動自在に固着されている。
【００２６】
前記スライドレール３３は、枠体３１の取っ手３２側において、スライドレール３３の固着部３３ａから斜め方向に折り曲げて傾斜部３３ｂを形成し、前記傾斜部３３ｂに続いて水平部３３ｃとなし、さらに枠体３０の側面に沿ってスライド部３３ｄとする。スライド部３３ｄの他端部は、枠体３１に対して直角方向に折り曲げて略Ｕ字状部３３ｅを形成する。
【００２７】
前記構成のスライドレール３３は、一端を枠体３１の前部側面に固着し、他端を枠体３１の後部下面に固着してなる。スライドレール３３は、枠体３１に固着される前にガイド環３４に摺動自在に挿入される。ガイド環３４は、上部杆１１Ａに固着されており、スライドレール３３によって枠体３１を側部材２０Ｂの内側に吊り下げる。上記構成の蓋３０は、図５の収納状態から真っ直ぐ上に引き上げると、ガイド環３４に挿入されたスライド部３３ｄがガイド環３４にガイドされて引き上げられる。略Ｕ字状部３３ｅがガイド環３４に係止した後、図６に示すように、蓋３０を前方に倒せば、略Ｕ字状部３３ｅがガイド環３４にガイドされて引き下ろすことができる。蓋３０を収納するときには、逆に蓋３０を回動させながら垂直に立ち上げてそのまま降ろせばよい。
【００２８】
なお、蓋３０は、上記実施形態のように垂直方向に引き上げたり、降ろしたりする構成に限定されるものではなく、蓋の枠体を連結具によって上部環１１Ａに回動自在に取り付ける構成とすることもできる。この場合には、取り付けた上部環１１Ａを中心にして回動することになるから、蓋を取り出す場合には、取り付け側とは反対側、即ち収納状態では下方との部分を持って引き上げればよい。また、蓋を収納する場合には、上部杆１１Ｂとの係止を解除し、そのまま引き下ろせばよい。また、蓋３０は、上部杆１１Ａから内方に突出させた取付杆に取り付けてもよい。この場合には、折り畳んでふたを降ろしたときに側部材２０Ａの外側に位置するように構成してもよい。また、蓋は、単に可撓性材の一端を固定して被覆する構成としてもよい。あるいは、蓋は全く省略することも可能である。
【００２９】
次に、図７〜図９に基づいて、底板４０の構成について説明する。底板４０は、２つ二分割された底板４０Ａと底板４０Ｂが、ヒンジを介して折曲自在に連結されている。底板４０の分割面と平行な両側端は、下部杆１２Ａと１２Ｂに回動自在に連結されている。さらに詳述すると、底板４０は、広幅の底板４０Ａと狭幅の底板４０Ｂとからなり、広幅の底板４０Ａの幅寸法をＬ１とし狭幅の底板４０Ｂの幅寸法をＬ２とすると、Ｌ１＞Ｌ２となり、Ｌ１＝Ｌ２＋１０〜３０ｍｍとするのが好ましい。広幅の底板４０Ａと狭幅の底板４０Ｂとはヒンジ４１によって連結されている。
【００３０】
前記ヒンジ４１は、広幅の底板４０Ａの両側面に取り付けたくの字状の連結板４１ａと、狭幅の底板４０Ｂの両側面に取り付けた連結板４１ｂとをピン４１ｃによって回動自在に連結してなる。前記連結板４１ａの先端面が接地したとき、広幅の底板４０Ａと狭幅の底板４０Ｂの対向側が下部杆１２Ａと１２Ｂの連結側よりも高くなるように、連結板４１ａの長さが形成されている。即ち、広幅の底板４０Ａと狭幅の底板４０Ｂが展開状態のときには、水平ではなく中央部（ヒンジ側）が高くなる傾斜面となる。このように、広幅の底板４０Ａと狭幅の底板４０Ｂとを傾斜面とすることによって、折り畳むときにスムーズに折り畳むことができる。
【００３１】
また、広幅の底板４０Ａと狭幅の底板４０Ｂの対向側には、板バネ４２が配設されている。前記板バネ４２は中央部で折り曲げられており、一方側のみが狭幅の底板４０Ｂに固着されている。板バネ４２は、図７に示すように、展開した状態では先端側が広幅の底板４０Ａの上面を押圧している。従って、底板４０Ｂの下部杆１２Ｂ側に押し下げる力が作用しているから、底板４０Ａと底板４０Ｂが傾斜面となっていることと相まって広幅の底板４０Ａと狭幅の底板４０Ｂを容易に折り畳むことができる（図８参照）。
【００３２】
一方、広幅の底板４０Ａは、ホルダー４３によって下部杆１２Ｂに連結されており、狭幅の底板４０Ｂは、同じくホルダー４３によって下部杆１２Ａに連結されている（図９参照）。前記ホルダー４３は、回動自在に設けられているから、広幅の底板４０Ａと狭幅の底板４０Ｂは、それぞれ起倒が可能であり、前記ヒンジ４１によって展開したり折り畳んだりすることができる。
【００３３】
図１０は、折り畳み状態を保持する止め金６０を示す。止め金６０は、外フレーム１０Ａの上部杆１１Ａに取り付けられたホルダー部６０ａに支持部６０ｂを介して側面視がＳ字状の係止部６０ｃを設けることによって形成されている。前記係止部６０ｃは、折り畳んだときには上部杆１１Ｂに下向き部分が係止し、展開状態の時には取っ手杆１４に上向き部分が係止するように形成されている。従って、折り畳んだときの上部杆１１Ａと１１Ｂの間隔と、上部杆１１Ａと取っ手杆１４の間隔とはほぼ同じく形成されている。
なお、上記止め金６０は、省略することが可能であると共に、他の形状に変更することが可能である。
【００３４】
次に、可撓性材５０は、各種のネット、ビニールシート、防水布等の可撓性を有するものであって、上述のように、側部材２０Ａと側部材２０Ｂのそれぞれ両側に設けられた補助バー２６に固定することによって取り付けられる。可撓性材５０は、外フレーム１０Ａと内フレーム１０Ｂとが展開状態または折り畳み状態となるような可撓性を有するものであればよく、その両端部のみが固着されている。従って、折り畳むことができるジャバラ状のものであってもよい。
【００３５】
上記構成に係る簡易ごみ収納庫の使用方法について説明する。図１１は折り畳んだ状態の斜視図である。このように、折り畳んだ状態から展開するには、まず、止め金６０の係止部６０ｃの下向き部分を上方に回動して上部杆１１Ｂから外し、そのまま回動させて取っ手杆１４に上向き部分を係止させる。次いで、側部材２０Ａと２０Ｂの上端を持って展開させる。側部材２０Ａと２０Ｂを展開させると、クロス丸環１７によって組み立てられている外フレーム１０Ａと内フレーム１０Ｂとはクロス丸環１７の取付軸１７Ａを中心にして倒れることになる。
【００３６】
側部材２０Ａと側部材２０Ｂの下端部は、それぞれ下部杆１２Ｂと１２Ａにホルダー２３によって回動自在に取り付けられていると共に、上端部は、ガイド筒２４に上部杆１１Ａと１１Ｂに回動自在に垂下されたガイドバー２５が挿入されているから、側部材２０Ａと側部材２０Ｂは垂直な状態のまま展開される。このとき、外フレーム１０Ａと内フレーム１０Ｂは、ガイド筒２４に挿入されたガイドバー２５に引っ張られるようにして倒される。
【００３７】
外フレーム１０Ａと内フレーム１０Ｂが倒れてそれぞれ上部杆１１Ａと１１Ｂが側部材２０Ａと側部材２０Ｂの上面に接近してくるが、さや管２７が配設されているから、上部杆１１Ｂと側部材２０Ａの上面との間及び上部杆１１Ａと側部材２０Ｂの上面との間には、隙間が形成されることになり、手が挟まれることはない。
【００３８】
一方、底板４０の広幅の底板４０Ａと狭幅の底板４０Ｂとは、  外フレーム１０Ａと内フレーム１０Ｂが倒れるにつれて下部杆１２Ａと下部杆１２Ｂに引っ張られることによって展開することになる。このとき、広幅の底板４０Ａと狭幅の底板４０Ｂは、ヒンジ４１の取付軸４１ｃを中心にして回動しながら下がってきて僅かに傾斜した状態で連結板４１ａの先端面が接地する。連結板４１ａの先端面が接地すると、板バネ４２のフリーな先端部が広幅の底板４０Ａの上面に当接する。これで、展開状態は完了する。
【００３９】
上述のように外フレーム１０Ａと内フレーム１０Ｂの上端が外側に倒れて展開した後、蓋を使用する場合には、蓋を引き出せばよい。蓋を引き出すには、取っ手３２を回動させて上向きにしてそのまま真っ直ぐ引き上げる。取っ手３２を引き上げると、両側に配置されたスライドレール３３がガイド環３３にガイドされて引き上げられ、略Ｕ字状部３３ｅに達したときに内側に倒して降ろせばよい。略Ｕ字状部３３ｅがガイド環３４にガイドされてスムーズに降ろすことができる。取っ手３２とスライドレール３３の固着部側の傾斜部３３ｂが、上部杆１１Ｂに載置して閉じることができる。
【００４０】
折り畳むときは、上記展開時とは反対に操作すればよい。まず、取っ手３２を持って蓋３０を真っ直ぐに引き上げ、そのまま降ろせばよい。蓋３０を引き上げると略Ｕ字状部３３ｅからスライドレール３３がガイド環３３にガイドされて安全に降ろすことができる。蓋３０を降ろして収納した後、上部杆１１Ａと上部杆１１Ｂを持って突き合わせるようにして折り畳めばよい。側部材２０Ａと２０Ｂはガイドバー２５が引き上げられながら接近することになる。
【００４１】
底板４０を構成する広幅の底板４０Ａと狭幅の底板４０Ｂは、蓋３０を引き上げたときに板バネ４２によってヒンジ４１側が引き上げられて折り畳み開始状態となっているから、外フレーム１０Ａと内フレーム１０Ｂの操作によってのみ簡単に折り畳むことができる。折り畳んだ後は、図１１に示すように、止め金６０の係止部６０ｃの上向き部分を取っ手杆１４から外して下方に回動し、上部杆１１Ｂに下向き部分を係止させればよい。
【００４２】
なお、この発明に係る簡易ごみ収納庫は、ごみを一時貯留するごみ置き場として使用できるばかりでなく、適宜の大きさとすることによってごみの一時貯留し回収する収集所まで運搬する運搬車として使用したり、家庭内においてごみの保管や古新聞紙や雑誌等の保管庫として使用することも可能である。
【図面の簡単な説明】
【００４３】
【図１】簡易ごみ収納庫の展開状態を示す斜視図である。
【図２】外フレームと内フレームの組立部分の要部を示し、図２（ａ）は斜視図、図２（ｂ）は一部断面正面図である。
【図３】外フレームと内フレームにおける側部材２０Ｂの組立を示す斜視図である。
【図４】外フレームと内フレームとの側部材２０Ａの組立を示す斜視図である。
【図５】蓋の組立を示す斜視図である。
【図６】蓋を引き上げた状態の側部材２０Ｂとの関係を示す斜視図である。
【図７】底板の構成を示す展開状態の要部斜視図である。
【図８】底板の取り畳状態を示す要部側面図である。
【図９】底板の下部杆との取付状態を示す要部断面図である。
【図１０】止め金の係止状態を示す側面図である。
【図１１】簡易ごみ収納庫の折り畳み状態を示す斜視図である。
【符号の説明】
【００４４】
１０：フレーム  
１０Ａ：外フレーム
１０Ｂ：内フレーム
１１Ａ、１１Ｂ：上部杆  
１２Ａ、１２Ｂ：下部杆
１３Ａ、１３Ｂ：側部杆
１４：取っ手杆  
１５：ゴムキャップ  
１６：キャスター
１７：クロス丸環
２０：側部材
２１：枠体  
２２：穴あきボード  
２３：ホルダー
２４：ガイド筒  
２５：ガイドバー
２６：補助バー  
２７：さや管
３０：蓋
３１：枠体  
３２：取っ手  
３３：スライドレール
３４：ガイド環
４０：底板  
４０Ａ：広幅の底板
４０Ｂ：狭幅の底板  
４１：ヒンジ
４２：板バネ  
４３：ホルダー
５０：可撓性材
６０：止め金
【図１】
2006056616.tif 000003
【図２】
2006056616.tif 000004
【図３】
2006056616.tif 000005
【図４】
2006056616.tif 000006
【図５】
2006056616.tif 000007
【図６】
2006056616.tif 000008
【図７】
2006056616.tif 000009
【図８】
2006056616.tif 000010
【図９】
2006056616.tif 000011
【図１０】
2006056616.tif 000012
【図１１】
2006056616.tif 000013